(57)【要約】【課題】銘板に対し容易に着脱可能で、レバーの位置を所定位置に確実に規制し得る自動開閉器電源の修理に用いる治具を提供する。【解決手段】矩形の銘板２６の一辺２６ａに当接してこの一辺２６ａで基準位置を規定する基準位置規定部材３１と、一端部が基準位置規定部材３１に固着されて銘板２６の前記一辺２６ａと直交する他の辺２６ｂに沿うように伸長している連結部材３２と、ばね力により基準位置規定部材３１側からその反対方向側に回動するレバーが回動に伴い当接して回動に伴うレバーの位置を規制するよう基端部が連結部材３２に固着されてこの連結部材３２から垂下されている位置規制部材３３とを有する。【選択図】図１
2007282454.tif 000002
【特許請求の範囲】
【請求項１】
矩形の銘板の一辺に当接してこの一辺で基準位置を規定する基準位置規定部材と、
前記銘板の前記一辺と直交する他の辺に沿うように前記基準位置規定部材から伸長されている連結部材と、
ばね力により基準位置規定部材側からその反対方向側に回動するレバーが前記回動に伴い当接して前記回動に伴う前記レバーの位置を規制するよう基端部が前記連結部材に固着されてこの連結部材から垂下されている位置規制部材とを有することを特徴とする自動開閉器電源の修理に用いる治具。
【請求項２】
請求項１に記載する自動開閉器電源の修理に用いる治具において、
前記連結部材は、可撓性部材で形成するとともに、この可撓性部材の下端部を開いて前記銘板の表面と裏面とに当接させてこの銘板を挟持するよう構成したものであることを特徴とする自動開閉器電源の修理に用いる治具。
【請求項３】
通常時には制御装置を介して制御用電源から動作電圧が供給される自動開閉器の前記制御用電源がない状態で前記自動開閉器の投入状態を維持しつつ配電系統の停電を回避しながら前記制御用電源を含む制御電源系統の所定の補修を行う自動開閉器電源の修理方法であって、
前記制御用電源がない状態で前記自動開閉器の投入状態を維持できるよう機械的に前記自動開閉器の投入状態をロックする工程と、
基端部を回動中心として回動可能に形成したレバーの操作により前記制御装置を「自動」から「切」に切替え、この「切」状態でロックする工程と、
前記制御用電源がない状態で制御電源系統の所定の補修作業を行う工程と、
前記レバーの操作により前記制御装置を「切」から前記「自動」の位置を過ぎてさらに回動することにより「入」に切替え、この「入」状態でロックする工程と、
前記自動開閉器に制御用電源から動作電圧が供給される通常の状態に戻す工程と、
請求項１又は請求項２に記載する治具を前記銘板に取り付ける工程と、
前記レバーの操作によりこのレバーを「入」から前記「自動」の位置に向けて回動させるとともに、その回動に伴い前記治具が位置規制部材に当接することによりこのレバーを「自動」の位置に規制し、この状態でロックする工程とを有する自動開閉器電源の修理方法。
【発明の詳細な説明】
【技術分野】
【０００１】
本発明は自動開閉器電源の修理に用いる治具及びその修理方法に関し、特に前記自動開閉器の投入状態を維持するための電源系統の補修作業の際に適用して有用なものである。
【背景技術】
【０００２】
図５は樹枝状配電系統の一部を抽出して示す斜視図である。同図に示すように、当該配電系統において、電柱１には配電線路を構成する通常６６００Ｖの高圧電線２が吊架してある。また、かかる配電系統の電柱１には適宜自動開閉器３が配設してある。この自動開閉器３は、制御装置４を介して遠隔からその開閉を制御し得るように構成してある。
【０００３】
ちなみに、配電系統の遠制（遠方制御）システムにおいては、遠制親局から送出する制御情報に基づき自動開閉器３に対応して設けられた遠制子局を介して前記自動開閉器３の開閉を遠方から自動的に行うことができるようにしている。
【０００４】
ここで自動開閉器３の投入状態の維持は、通常電磁開閉器（図示せず。）で行うようになっており、このための電磁開閉器の電源は、高圧電線２が供給する高圧を所定の低圧（通常１１０Ｖ）に降圧する制御電源用変圧器５で構成している。すなわち、制御電源用変圧器５の一次側は高圧カットアウト６を介して高圧電線２に接続してある引込み線７に接続してあり、またその二次側には制御用電源線８を介して制御装置４が接続してある。
【０００５】
かくして、遠制子局を含む制御装置４を動作させるための電力は制御電源用変圧器５で得ている。また、制御装置４からの制御信号を送出する制御線９は自動開閉器３に接続してあり、この自動開閉器３が内蔵する電磁開閉器を介してその開閉を制御するようになっている。
【０００６】
ここで、制御装置４、制御電源用変圧器５及び高圧カットアウト６は取付アーム１０，１１，１２を介してそれぞれ電柱１に取り付けてある。
【０００７】
かかる配電系統において、制御電源用変圧器５、高圧カットアウト６等のいわゆる制御電源系統の補修を行う必要が発生した場合には、自動開閉器３の投入状態を維持したまま制御装置４に対する電力の供給を遮断しなければならない。すなわち、制御用電源がない状態で自動開閉器３の投入状態を維持して当該配電系統の停電を回避しながら所定の補修を行う必要がある。
【０００８】
そこで、かかる補修作業は、従来次のような手順で行っていた。
１）  自動開閉器３を、「自動入り」から「手動入り」に切替える。これは、自動開閉器３のレバーを操作することにより行う。
ここで、「自動入り」とは、通常のモードで、電磁開閉器の駆動電圧を制御装置４から得ている状態である。また、「手動入り」とは、前記補修時のモードで、前記電磁開閉器の通常状態を機械的に維持している状態である。
かかる一連の操作により自動開閉器３の投入状態は維持され、当該配電系統を介しての電力の供給が維持される。
２）  制御装置４を「自動」から「切」に切替え、この「切」状態でロックする。これは、図６乃至図９に示すように、制御装置４のレバー２２を操作することにより行う。
【０００９】
ここで、図６乃至図９に基づき制御装置４の前記レバー２２に関する説明をしておく。これらの図は制御装置４を示す正面図である。この制御装置４は、本体ケース２１の内部に遠制子局等の必要な制御機器等を収納しており、各制御機器の動作の制御は本体ケース２１の表面からその外部に突出しているレバー２２を操作することにより行うようになっている。
【００１０】
レバー２２は、その基端部をピン２３により本体ケース２１に回動可能に支持されており、時計方向乃至反時計方向に回動することにより所定の各モードを選択するようになっている。また、その中央部に配設されたロックピン２４をロック孔２５ａ、２５ｂ、２５ｃのいずれかに差し込むことで各位置にロックされる。
【００１１】
さらに、本体ケース２１の表面には銘板２６が設けてあり、この銘板２６にはレバー２２の各位置が対応する制御装置４の各モードを表す文字が記載してある。すなわち、「自動」、「切」、「入」の三つのモードに対応する各文字である。
【００１２】
ここで、「自動」とは、遠制子局を介して自動開閉器３の投入・開放を遠制親局から自動で制御するモードである。
【００１３】
「切」とは、制御電源用変圧器５からの電力の供給を遮断して遠制子局の電源を「切」状態とすることで制御線９を介しての自動開閉器３の制御を停止するモードである。すなわち、制御電源系統の電源の遮断時のモードである。
【００１４】
「入」とは、制御電源用変圧器５からの電力の供給を再開して遠制子局の電源を「入」状態とすることで制御線９を介しての自動開閉器３の制御を復旧するモードである。すなわち、制御電源系統の電源の使用時のモードである。
【００１５】
当該モードの初期には、通常時の状態である図６に示すように、レバー２２が「自動」の位置にあり、この位置でロックピン２４をロック孔２５ａに差し込んでロックされている。そこで、ロックピン２４によるロックを解除した後、この位置からレバー２２を反時計方向に回動して、図７に示すように、「切」の文字に対応する位置までもっていき、この位置でロックピン２４をロック孔２５ｂに差し込むことによりロックする。
３）  制御電源系統の所定の補修作業を行う。具体的には、制御電源用変圧器５の修理、取替え、高圧カットアウト６の修理、取替え等である。
４）  制御装置４を「切」から「入」に切替え、この「入」状態でロックする。これは、図７に示す状態において、先ずロックピン２４によるロックを解除した後、この位置からレバー２２を時計方向に回動して、図８に示すように、「入」の文字に対応する位置までもっていき、この位置でロックピン２４をロック孔２５ｃに差し込むことによりロックする。
５）  自動開閉器３を、「手動入り」から「自動入り」に切替える。これは、自動開閉器３のレバーを操作することにより行う。
６）  制御装置４のレバーを操作して「自動」に戻し、この状態でロックする。
【００１６】
なお、かかる技術分野における公知技術としては特許文献１を挙げることができる。
【００１７】
【特許文献１】特開２００３−３１９５１１号公報
【発明の開示】
【発明が解決しようとする課題】
【００１８】
ところで、制御装置４のレバー２２は、その構造上、図８に示す位置から図６に示す位置に戻す方向、すなわち反時計方向へ常時ばね力で付勢されている。そこで、レバー２２を「入」の位置から「自動」に戻す、前記６）の作業においては、図９に示すように、作業者がその手２７を銘板２６上に置き、レバー２２が「自動」の文字に対応する位置で止まるようにその位置を規制している。「自動」の位置を過ぎてさらにレバー２２が反時計方向に「切」の位置まで回動した場合には自動開閉器３を開放してしまい当該配電系統の停電につながるからである。
【００１９】
従来の制御電源系統の補修においては、当該作業の作業者がいちいちその手２７を添えてレバー２２の位置を規制する必要があったため、作業を煩雑にし、合理的かつ迅速な作業の障害となっていた。
【００２０】
本発明は、上記従来技術に鑑み、銘板に対し容易に着脱可能で、レバーの位置を所定位置に確実に規制し得、しかも銘板に対し容易に着脱可能な自動開閉器電源の修理に用いる治具及びその修理方法を提供することを目的とする。
【課題を解決するための手段】
【００２１】
上記目的を達成する本発明の第１の態様は、
矩形の銘板の一辺に当接してこの一辺で基準位置を規定する基準位置規定部材と、
前記銘板の前記一辺と直交する他の辺に沿うように前記基準位置規定部材から伸長されている連結部材と、
ばね力により基準位置規定部材側からその反対方向側に回動するレバーが前記回動に伴い当接して前記回動に伴う前記レバーの位置を規制するよう基端部が前記連結部材に固着されてこの連結部材から垂下されている位置規制部材とを有することを特徴とする自動開閉器電源の修理に用いる治具である。
【００２２】
本発明の第２の態様は、
上記第１の態様に記載する自動開閉器電源の修理に用いる治具において、
前記連結部材は、可撓性部材で形成するとともに、この可撓性部材の下端部を開いて前記銘板の表面と裏面とに当接させてこの銘板を挟持するよう構成したものであることを特徴とする自動開閉器電源の修理に用いる治具である。
【００２３】
本発明の第３の態様は、
通常時には制御装置を介して制御用電源から動作電圧が供給される自動開閉器の前記制御用電源がない状態で前記自動開閉器の投入状態を維持しつつ配電系統の停電を回避しながら前記制御用電源を含む制御電源系統の所定の補修を行う自動開閉器電源の修理方法であって、
前記制御用電源がない状態で前記自動開閉器の投入状態を維持できるよう機械的に前記自動開閉器の投入状態をロックする工程と、
基端部を回動中心として回動可能に形成したレバーの操作により前記制御装置を「自動」から「切」に切替え、この「切」状態でロックする工程と、
前記制御用電源がない状態で制御電源系統の所定の補修作業を行う工程と、
前記レバーの操作により前記制御装置を「切」から前記「自動」の位置を過ぎてさらに回動することにより「入」に切替え、この「入」状態でロックする工程と、
前記自動開閉器に制御用電源から動作電圧が供給される通常の状態に戻す工程と、
請求項１又は請求項２に記載する治具を前記銘板に取り付ける工程と、
前記レバーの操作によりこのレバーを「入」から前記「自動」の位置に向けて回動させるとともに、その回動に伴い前記治具が位置規制部材に当接することによりこのレバーを「自動」の位置に規制し、この状態でロックする工程とを有する自動開閉器電源の修理方法である。
【発明の効果】
【００２４】
上記構成の本発明によれば、治具を銘板に取り付けた状態でレバーの操作により制御装置を「入」から「自動」の位置に向けて回動させるとともに、その回動に伴い前記治具の位置規制部材に当接させることにより前記レバーを「自動」の位置に規制することができる。
【００２５】
この結果、従来の制御電源系統の補修において作業者がいちいちその手を添えて前記レバーの位置を規制するという作業を除去することができ、その分当該作業の合理化及び迅速化を図ることができる。
【発明を実施するための最良の形態】
【００２６】
以下本発明の実施の形態を図面に基づき詳細に説明する。
【００２７】
図１は本発明の実施の形態に係る治具を示す正面図、図２はその左側面図である。両図に示すように、基準位置規定部材３１は、矩形の銘板２６の一辺であり垂直に伸びる図中右側の辺２６ａに当接して基準位置３１ａを規定するものである。
【００２８】
連結部材３２は、銘板２６の辺２６ａと直交する他の辺である水平に伸びる図中上側の辺２６ｂに沿うように基準位置規定部材３１から水平に伸長されている。本形態における連結部材３２は、基準位置規定部材３１と一体的な可撓性を有する部材（樹脂）で形成してあり、この可撓性部材の下端部を、図２に示す矢印Ａの方向に開いて銘板２６を挟持することでこの銘板２６に固定するようになっている。このように固定した状態で基準位置規定部材３１が銘板２６の辺２６ａに当接して図中左方向への移動を規制される結果、連結部材３２の銘板２６に対する位置も規定される。
【００２９】
位置規制部材３３は、ばね力により基準位置規定部材３１側からその反対方向側に回動するレバー２２（図３乃至図４参照）が前記回動に伴い当接して前記回動に伴うレバー２２の位置を所定位置に規制するよう基端部が連結部材３２に固着されてこの連結部材３２から垂下されている。さらに詳言すると、この位置規制部材３３は銘板２６の表面と平行な面を有する平板部３３ａと、この平板部３３ａの図中左端部から垂直方向に立ち上がるエッジ部３３ｂとが一体化された部材であり、基準位置規定部材３１側から回動してきたレバー２２が平板部３３ａの上面側に占位した状態でエッジ部３３ｂに当接してその回動を規制される。
【００３０】
位置規制部材３３は、ばね力により基準位置規定部材３１側からその反対方向側に回動するレバー２２（図３乃至図４参照）が前記回動に伴い当接して前記回動に伴うレバー２２の位置を所定位置に規制するものである。さらに詳言すると、位置規制部材３３は、その基端部が連結部材３２に固着されてこの連結部材３２から垂下されるとともに、銘板２６の表面と平行な面を有する平板部３３ａと、この平板部３３ａの図中左端部から垂直方向に立ち上がるエッジ部３３ｂとを一体化してなる。かくして、基準位置規定部材３１側から回動してきたレバー２２を、平板部３３ａの上面側に占位した状態でエッジ部３３ｂに当接させてその回動を規制する。したがって、基準位置規定部材３１の基準位置３１ａと位置規制部材３３のエッジ部３３ｂとの間の水平距離ｌを適宜設定することによりレバー２２の規制位置が設定される。
【００３１】
かかる治具は、図５に示す配電系統における制御電源系統の補修を行う際に使用するものであるが、ここでその具体的な使用態様を前記制御電源系統の補修手順とともに説明する。
【００３２】
従来の補修手順と同様に次の１)乃至５）の作業を行う。
１）  自動開閉器３（図５参照）を、「自動入り」から「手動入り」に切替える。
２）  制御装置４を「自動」（図６参照）から「切」（図７参照）に切替え、この「切」状態でロックする。
３）  制御電源系統の所定の補修作業を行う。
４）  制御装置４を「切」から「入」に切替え、この「入」状態でロックする（図８参照）。
５）  自動開閉器３を、「手動入り」から「自動入り」に切替える。これは、自動開閉器３のレバーを操作することにより行う。
【００３３】
かかる作業が終了した後、図３に示すように本形態に係る治具を銘板２６に取り付ける。具体的には、連結部材３２の下端部を開いて銘板２６の表面と裏面に当接させてこの銘板２６を挟持するとともに、基準位置規定部材３１を銘板２６の辺２６ａに当接させ図中左方向への移動を規制する。
【００３４】
次に、図４に示すように、ばね力によりレバー２２を基準位置規定部材３１側からその反対方向側に回動させ位置規制部材３３のエッジ部３３ｂに当接させる。かくして制御装置４のレバー２２を「自動」に戻し、この状態でロックする。
【００３５】
このように本形態によれば、レバー２２をその回動に伴い当該治具の位置規制部材３３に当接させることによりレバー２２を「自動」の位置に規制することができる。
【００３６】
この結果、従来の制御電源系統の補修において作業者がいちいちその手を添えて行っていたレバー２２の位置を規制するという作業を除去することができる。
【産業上の利用可能性】
【００３７】
本発明は電力の配電用の器具等を製造・販売する産業分野乃至配電系統の保守管理を行う産業分野で利用することができる。
【図面の簡単な説明】
【００３８】
【図１】本発明の実施の形態に係る治具を示す正面図である。
【図２】図１の左側面図である。
【図３】図１に示す治具の使用時の一態様を示す説明図である。
【図４】図１に示す治具の使用時の他の態様を示す説明図である。
【図５】樹枝状配電系統の一部を抽出して示す斜視図である。
【図６】制御電源系統の補修作業における制御装置の態様を示す説明図である。
【図７】制御電源系統の補修作業における制御装置の態様を示す説明図である。
【図８】制御電源系統の補修作業における制御装置の態様を示す説明図である。
【図９】制御電源系統の補修作業における制御装置の態様を示す説明図である。
【符号の説明】
【００３９】
３      自動開閉器
４      制御装置
５      制御電源用変圧器
２２      レバー
２６      銘板
２６ａ    辺
２６ｂ    辺
３１      基準位置規定部材
３１ａ    基準位置
３２      連結部材
３３      位置規制部材
【図１】
2007282454.tif 000003
【図２】
2007282454.tif 000004
【図３】
2007282454.tif 000005
【図４】
2007282454.tif 000006
【図５】
2007282454.tif 000007
【図６】
2007282454.tif 000008
【図７】
2007282454.tif 000009
【図８】
2007282454.tif 000010
【図９】
2007282454.tif 000011